(57)【要約】【課題】葉書に記載した情報を容易に隠蔽でき、かつ利便性に優れた葉書付き印刷物を提供する。【解決手段】本発明の葉書付き印刷物３００は、第１の紙片１００及び第２の紙片２００を有し、第１の紙片１００が、葉書部１１０及び隠蔽部１２０を有しており、葉書部１１０及び隠蔽部１２０が、第１の紙片１００の他の部分から切り離し可能であり、葉書部１１０が、被隠蔽領域を有しており、隠蔽部１２０が、隠蔽粘着層１２２を有しており、それによって被隠蔽領域と隠蔽粘着層１２２とを対向させて圧着させることにより、被隠蔽領域を隠蔽することができ、かつ第１の紙片１００と前記第２の紙片２００とが隠蔽粘着層１２２及び周縁粘着層１０２を介して剥離可能に粘着されている。【選択図】図３
2018047663.tif 000002
【特許請求の範囲】
【請求項１】
第１の紙片及び第２の紙片を有し、
前記第１の紙片が、葉書部及び隠蔽部を有しており、
前記葉書部及び前記隠蔽部が、前記第１の紙片の他の部分から切り離し可能であり、
前記葉書部が、被隠蔽領域を有しており、
前記隠蔽部が、隠蔽粘着層を有しており、それによって前記被隠蔽領域と前記隠蔽粘着層とを対向させて圧着させることにより、前記被隠蔽領域を隠蔽することができ、かつ
前記第１の紙片と前記第２の紙片とが前記隠蔽粘着層を介して剥離可能に粘着されている、
葉書付き印刷物。
【請求項２】
前記隠蔽部が、前記葉書部の上辺側に位置している、請求項１に記載の印刷物。
【請求項３】
前記葉書部及び前記隠蔽部が、互いに繋がっている、請求項１又は２に記載の印刷物。
【請求項４】
前記第１の紙片又は前記第２の紙片が周縁粘着層を有しており、前記第１の紙片と前記第２の紙片とが更に前記周縁粘着層を介して剥離可能に粘着されている、請求項１〜３のいずれか一項に記載の印刷物。
【請求項５】
前記隠蔽部が、地紋状印刷層を有する、請求項１〜４のいずれか一項に記載の印刷物。
【請求項６】
前記葉書部及び前記隠蔽部の使用方法の表示が存在している、請求項１〜５のいずれか一項に記載の印刷物。
【請求項７】
前記第２の紙片のうちの、前記隠蔽粘着層と対向している領域に、剥離剤層が存在している、請求項１〜６のいずれか一項に記載の印刷物。
【請求項８】
前記第１の紙片と前記第２の紙片との間の一部に、接着層が存在しており、それによって前記第１の紙片と前記第２の紙片とが冊子状に綴じられている、請求項１〜７のいずれか一項に記載の印刷物。
【請求項９】
前記第１の紙片と前記第２の紙片とが互いに繋がっており、それによって前記第１の紙片と前記第２の紙片とが冊子状に綴じられている、請求項１〜７のいずれか一項に記載の印刷物。
【請求項１０】
１つ又は複数の第３の紙片を更に有し、前記第３の紙片が、前記第１の紙片又は前記第２の紙片と接着層を介して接着されており、それによって前記第１の紙片と、前記第２の紙片と、前記第３の紙片とが冊子状に綴じられている、請求項１〜９のいずれか一項に記載の印刷物。
【発明の詳細な説明】
【技術分野】
【０００１】
本発明は、葉書付き印刷物に関する。
【背景技術】
【０００２】
従来、印刷物の一態様として、葉書付き印刷物が知られている。例えば、この印刷物は、流通時には折り畳まれているものであり、かつ開いて葉書を切り離すことにより、葉書を使用することができるものである。このような葉書付き印刷物の具体的態様は、特許文献１及び２に開示されている。
【０００３】
特許文献１では、中央紙部と、側紙部とを有している、返信用葉書付き印刷物が開示されている。特許文献１では、中央紙部に繋がっていない側の側紙部の端辺が一部となるように、外周にカット線が形成された返信用葉書が設けられているとしている。また、側紙部が中央紙部側へ折り畳まれた状態で、側紙部及び返信用葉書が、中央紙部と剥離可能に接着されているとしている。
【０００４】
特許文献２では、シートの一端部に接着部が形成され、接着部に対向する端部に葉書が形成され、葉書の一部が表出するようにシートが２つに折り畳まれ、接着されて使用される葉書付き封書用シートが開示されている。特許文献２では、葉書の表出部には、受取人の宛先情報が記載されており、葉書の宛先情報が記載された裏側には、差出人の宛先情報が記載されているとしている。
【０００５】
なお、特許文献３では、隠蔽シート付き葉書が開示されている。特許文献３では、まず、隠蔽シート付き葉書を見開き状態とし、第１の片に設けられた記入欄に必要事項を記入し、次いで剥離紙を剥がして糊剤を表出させ、そしてミシン目を用いて隠蔽シート付き葉書を２つ折りにして、記入欄を隠蔽するとしている。
【先行技術文献】
【特許文献】
【０００６】
【特許文献１】特開２０１５−０８５５５３号公報
【特許文献２】特開２００６−０１５４９１号公報
【特許文献３】特開２０１１−１８３７１６号公報
【発明の概要】
【発明が解決しようとする課題】
【０００７】
特許文献１及び２の返信用葉書付き印刷物においては、切り取った葉書に記載した情報を隠蔽する手段がない。したがって、電話番号、住所、氏名、暗証番号等の隠蔽を要する情報を記載する用途には不向きである。
【０００８】
また、仮にこれらの返信用葉書付き印刷物が有する葉書を、単純に特許文献３に記載の隠蔽シート付き葉書に置き換えたとしても、返信用葉書付き印刷物を開く作業、剥離紙を剥がす作業、及び葉書を切り取る作業が必要となるため、利便性が十分でない。
【０００９】
そこで、葉書に記載した情報を容易に隠蔽でき、かつ利便性に優れた葉書付き印刷物を提供する必要性が存在する。
【課題を解決するための手段】
【００１０】
本発明者らは、鋭意検討したところ、以下の手段により上記課題を解決できることを見出して、本発明を完成させた。すなわち、本発明は、下記のとおりである：
〈１〉  第１の紙片及び第２の紙片を有し、
上記第１の紙片が、葉書部及び隠蔽部を有しており、
上記葉書部及び上記隠蔽部が、上記第１の紙片の他の部分から切り離し可能であり、
上記葉書部が、被隠蔽領域を有しており、
上記隠蔽部が、隠蔽粘着層を有しており、それによって上記被隠蔽領域と上記隠蔽粘着層とを対向させて圧着させることにより、上記被隠蔽領域を隠蔽することができ、かつ
上記第１の紙片と上記第２の紙片とが上記隠蔽粘着層を介して剥離可能に粘着されている、
葉書付き印刷物。
〈２〉  上記隠蔽部が、上記葉書部の上辺側に位置している、上記〈１〉項に記載の印刷物。
〈３〉  上記葉書部及び上記隠蔽部が、互いに繋がっている、上記〈１〉又は〈２〉項に記載の印刷物。
〈４〉  上記第１の紙片又は上記第２の紙片が周縁粘着層を有しており、上記第１の紙片と上記第２の紙片とが更に上記周縁粘着層を介して剥離可能に粘着されている、上記〈１〉〜〈３〉項のいずれか一項に記載の印刷物。
〈５〉  上記隠蔽部が、地紋状印刷層を有する、上記〈１〉〜〈４〉項のいずれか一項に記載の印刷物。
〈６〉  上記葉書部及び上記隠蔽部の使用方法の表示が存在している、上記〈１〉〜〈５〉項のいずれか一項に記載の印刷物。
〈７〉  上記第２の紙片のうちの、上記隠蔽粘着層と対向している領域に、剥離剤層が存在している、上記〈１〉〜〈６〉項のいずれか一項に記載の印刷物。
〈８〉  上記第１の紙片と上記第２の紙片との間の一部に、接着層が存在しており、それによって上記第１の紙片と上記第２の紙片とが冊子状に綴じられている、上記〈１〉〜〈７〉項のいずれか一項に記載の印刷物。
〈９〉  上記第１の紙片と上記第２の紙片とが互いに繋がっており、それによって上記第１の紙片と上記第２の紙片とが冊子状に綴じられている、上記〈１〉〜〈７〉項のいずれか一項に記載の印刷物。
〈１０〉  １つ又は複数の第３の紙片を更に有し、上記第３の紙片が、上記第１の紙片又は上記第２の紙片と接着層を介して接着されており、それによって上記第１の紙片と、上記第２の紙片と、上記第３の紙片とが冊子状に綴じられている、上記〈１〉〜〈９〉項のいずれか一項に記載の印刷物。
【発明の効果】
【００１１】
本発明によれば、葉書に記載した情報を容易に隠蔽でき、かつ利便性に優れた葉書付き印刷物を提供することができる。
【図面の簡単な説明】
【００１２】
【図１】図１は、第１の紙片の一態様の概略図である。図１（ａ）は、第１の紙片の内面側を示す図であり、図１（ｂ）は、第１の紙片の外面側を示す図である。
【図２】図２は、第２の紙片の一態様の概略図である。図２（ａ）は、第２の紙片の内面側を示す図であり、図２（ｂ）は、第２の紙片の外面側を示す図である。
【図３】図３は、本発明の葉書付き印刷物の平面図及び断面図である。図３（ａ）は、本発明の葉書付き印刷物の平面図であり、図３（ｂ）は、図３（ａ）の線ＩＩＩｂ−ＩＩＩｂにおける断面図であり、図３（ｃ）は、図３（ａ）の線ＩＩＩｃ−ＩＩＩｃにおける断面図である。
【図４】図４は、本発明の葉書付き印刷物の使用方法の説明図である。図４（ａ）は、第１の紙片から葉書部及び隠蔽部を切り離した段階を示す図であり、図４（ｂ）は、被隠蔽領域に隠蔽対象情報を筆記した段階を示す図であり、図４（ｃ）は、隠蔽対象情報を隠蔽部により隠蔽した段階を示す図である。
【発明を実施するための形態】
【００１３】
《葉書付き印刷物》
本発明の葉書付き印刷物は、第１の紙片及び第２の紙片を有し、第１の紙片が、葉書部及び隠蔽部を有しており、葉書部及び隠蔽部が、第１の紙片の他の部分から切り離し可能であり、葉書部が、被隠蔽領域を有しており、隠蔽部が、隠蔽粘着層を有しており、それによって被隠蔽領域と隠蔽粘着層とを対向させて圧着させることにより、被隠蔽領域を隠蔽することができ、かつ第１の紙片と第２の紙片とが隠蔽粘着層を介して剥離可能に粘着されている、葉書付き印刷物である。
【００１４】
本発明の葉書付き印刷物によれば、隠蔽部を葉書部の被隠蔽領域に貼り付けることによって、葉書に記載した情報を容易に隠蔽できる。また、この本発明の葉書付き印刷物によれば、第１の紙片と第２の紙片とが隠蔽粘着層を介して剥離可能に粘着されていることによって、第１の紙片及び第２の紙片に記載された情報を見るために第１の紙片と第２の紙片とを剥離して開封することによって、同時に隠蔽粘着層を露出させて利用可能にすることができる。その結果、使用時まで隠蔽粘着層を保護するための剥離紙を用いる必要がなくなるため、剥離紙の使用に伴う追加のコストが生じない。
【００１５】
まず、第１の紙片及び第２の紙片の構造の一態様について、図１及び図２を参照して説明する。
【００１６】
図１（ａ）及び（ｂ）に示すように、第１の紙片（１００）は、葉書部（１２０）及び隠蔽部（１１０）を有している。この葉書部（１２０）及び隠蔽部（１１０）を、例えば切り離し予定線（１０６）に沿って、第１の紙片（１００）の他の部分から切り離すことができる。また、第１の紙片（１００）は、周縁粘着層（１０２）を有していてもよい。更に、第１の紙片（１００）は、剥離きっかけ部（１０８）を有していることが、第２の紙片から容易に剥離しやすくする観点から好ましい。
【００１７】
葉書部（１２０）は、被隠蔽領域（１２２）を有している。また、隠蔽部（１１０）は、隠蔽粘着層（１１２）を有している。これによれば、被隠蔽領域（１２２）と隠蔽粘着層（１１２）とを対向させて圧着させることにより、被隠蔽領域（１２２）を隠蔽することができる。なお、図１（ａ）において、被隠蔽領域（１２２）に付されている模様は、被隠蔽領域（１２２）の範囲を明示するために付したものであって、被隠蔽領域（１２２）を画定する模様等の存在を必須の構成とすることを意図しているものではない。
【００１８】
この隠蔽部（１１０）は、葉書部（１２０）の上辺側に位置していることが、被隠蔽領域（１２２）内に隠蔽対象情報を筆記する際に、利き腕にかかわらず手が隠蔽粘着層（１１２）に接しないようにする観点から好ましい。なお、ここで言及する「上辺」は、葉書部に存在している可視情報及び／又は筆記する隠蔽対象情報が正しい向きで視認できるように葉書部を配置したときの上辺を言うものである。
【００１９】
また、葉書部（１２０）及び隠蔽部（１１０）は、互いに繋がっていることが、隠蔽部（１１０）を折り返して被隠蔽領域（１２２）に圧着させることにより、被隠蔽領域（１２２）を容易に隠蔽できるようにする観点から好ましい。ここで、「葉書部及び隠蔽部が互いに繋がっている」とは、葉書部及び隠蔽部が一枚の紙により構成されていて、互いに切り離されていないことを意味する。特に、葉書部（１２０）と隠蔽部（１１０）との間の境界は、ミシン目により画定されていることが、隠蔽部（１１０）をより容易に折り返す観点から好ましい。
【００２０】
図２に示すように、第２の紙片（２００）のうちの、隠蔽部と対向している領域に、剥離剤層（２１２）が存在していることが、隠蔽部を第２の紙片（２００）から容易に剥離する観点から好ましい。また、第２の紙片（２００）の周縁の領域にも、剥離剤層（２０２）が存在していてもよい。
【００２１】
次に、本発明の葉書付き印刷物の構造を、図３を参照して説明する。
【００２２】
図３に示すように、本発明の葉書付き印刷物（３００）においては、第１の紙片（１００）と第２の紙片（２００）とは、隠蔽粘着層（１１２）を介して剥離可能に貼着されている。
【００２３】
また、第１の紙片（１００）が周縁粘着層（１０２）を有する場合には、更に周縁粘着層（１０２）を介して剥離可能に粘着されていてよい。なお、図示しないが、周縁粘着層及び周縁の剥離剤層は、それぞれ第２の紙片及び第１の紙片に存在していてもよい。
【００２４】
第１の紙片と第２の紙片とは、互いに繋がっているか、又は図３に示すように、第１の紙片（１００）と第２の紙片（２００）との間の一部に、接着層（１０４）が存在しており、それによって第１の紙片と第２の紙片とが冊子状に綴じられていることが、第１の紙片と第２の紙片とを容易に分離し、それによって第１の紙片から隠蔽部及び葉書を容易に切り離すことができるようにする観点から好ましい。
【００２５】
また、図示しないが、本発明の葉書付き印刷物は、１つ又は複数の第３の紙片を更に有していてもよい。この第３の紙片は、第１の紙片又は第２の紙片と接着層を介して接着されており、それによって第１の紙片と、第２の紙片と、第３の紙片とが冊子状に綴じられていてもよい。
【００２６】
次に、本発明の葉書付き印刷物の使用方法を、図４を参照して説明する。
【００２７】
まず、粘着層を介して粘着されている第１の紙片と第２の紙片とを剥離して開封する。
【００２８】
その後、図４（ａ）に示すように、葉書部（１２０）及び隠蔽部（１１０）を、第１の紙片（１００）の他の部分から切り離し、そして図４（ｂ）に示すように、葉書部（１２０）上の被隠蔽領域内に隠蔽対象情報（１２２ａ）を筆記する。これらの作業は、逆の順番で行ってもよい。
【００２９】
次いで、隠蔽部（１１０）上の隠蔽粘着層側を、葉書部（１２０）上の被隠蔽領域に対向させて圧着させることにより、隠蔽部によって隠蔽対象情報（１２２ａ）を隠蔽することができる。特に、図４（ａ）及び（ｂ）に示すように、葉書部（１２０）及び隠蔽部（１１０）が、互いに繋がっている場合には、図４（ｃ）に示すように、隠蔽部（１１０）を折り返して葉書部（１２０）上の被隠蔽領域に圧着させることにより、隠蔽対象情報（１２２ａ）を隠蔽することができる。特に、図４（ｃ）に示すように、隠蔽部（１１０）が地紋状印刷層を有する場合には、隠蔽対象情報（１２２ａ）をより良好に隠蔽できる。
【００３０】
また、本発明の葉書付き印刷物の余白部分には、葉書部及び隠蔽部の使用方法の表示が存在していてもよい。この表示としては、筆記すべき隠蔽対象情報及びその位置、隠蔽部による隠蔽方法、記入後にポストに投函すべきこと等を示す表示が挙げられる。
【００３１】
この表示は、例えば以下の文言であってよい：
１．上記太枠内の所定事項をボールペンでご記入ください。
２．糊部分をミシン目から折り曲げてください。
３．手で貼り合わせてください。
４．ポストにご投函ください。
【００３２】
以下では、本発明の葉書付き印刷物の各構成について説明する。
【００３３】
〈第１の紙片〉
第１の紙片は、葉書部、隠蔽部及び随意の周縁粘着層を有している。この葉書部及び隠蔽部は、例えば切り離し予定線に沿って、第１の紙片から切り離し可能である。第１の紙片は、剥離きっかけ部を有していることが、第２の紙片から容易に剥離しやすくする観点から好ましい。
【００３４】
第１の紙片は、葉書部及び隠蔽部の重量の合計が、郵便法で規定される２〜６ｇとなるようにする観点から、四六判（７８８ｍｍ×１０９１ｍｍ）での連量が１１０ｋｇ以上、１２０ｋｇ以上、又は１３０ｋｇ以上であり、かつ３３０ｋｇ以下、３２０ｋｇ以下、又は３１０ｋｇ以下であることが好ましい。
【００３５】
｛葉書部｝
葉書部は、被隠蔽領域を有している。
【００３６】
（被隠蔽領域）
被隠蔽領域は、隠蔽対象情報が記載されている、かつ／又は隠蔽対象情報を筆記することができる領域であることができる。
【００３７】
｛隠蔽部｝
隠蔽部は、隠蔽粘着層を有している。これによって、被隠蔽領域と隠蔽粘着層とを対向させて圧着させることにより、被隠蔽領域を隠蔽することができる。また、隠蔽部は、地紋状印刷層を有していることが、隠蔽対象情報を良好に隠蔽する観点から好ましい。
【００３８】
（隠蔽粘着層）
隠蔽粘着層としては、第２の紙片剥離可能でかつ再貼付可能な粘着剤を用いることができ、例えば、２ＥＨＡ（２エチルヘキシルアクリレート）等のガラス転移温度が低いアクリル樹脂をエマルジョン化した粘着剤、微球タイプ粘着剤、硬化剤を添加した粘着剤等の公知の粘着剤を用いることができる。
【００３９】
（地紋状印刷層）
地紋状印刷層は、隠蔽部が有することができる印刷層であり、これによれば、隠蔽対象情報を良好に隠蔽することができる。地紋状印刷層は、隠蔽部の片側に存在していてもよく、又は両側に存在していてもよい。
【００４０】
｛周縁粘着層｝
周縁粘着層としては、隠蔽粘着層に関して挙げた粘着剤を用いることができる。
【００４１】
｛切り離し予定線｝
切り離し予定線は、例えばミシン目であることができる。
【００４２】
｛剥離きっかけ部｝
剥離きっかけ部は、第１の紙片と第２の紙片との間に段差を設け、それによって第１の紙片から第２の紙片を容易に剥離できるようにする形態であってよく、例えばタブ、切欠き等の形態であってよい。
【００４３】
〈第２の紙片〉
第２の紙片は、隠蔽粘着層及び随意の周縁粘着層を介して第１の紙片と剥離可能に粘着されている紙片である。第２の紙片は、第１の紙片と互いに繋がっていてもよく、又は互いに繋がっていなくてもよい。
【００４４】
第１の紙片と第２の紙片とが互いに繋がっていない場合には、第２の紙片は、第１の紙片から容易に剥離しやすくする観点から、四六判での連量が、１００ｋｇ以下、９５ｋｇ以下、又は９０ｋｇ以下であることが好ましく、また第２の紙片の隠蔽性を確保する観点から、５０ｋｇ以上、６０ｋｇ以上、又は７０ｋｇ以上であることが好ましい。
【００４５】
また、この連量は、第１の紙片から容易に剥離しやすくする観点から、第１の紙片の四六判での連量の９０％以下、８５％以下、又は８０％以下であることが好ましく、また第２の紙片の隠蔽性を確保する観点から、６０％以上、６５％以上、又は７０％以上であることが好ましい。
【００４６】
｛剥離剤層｝
剥離剤層としては、ニトロセルロース樹脂、アクリル系樹脂、ウレタン系樹脂、アミノアルキッド系樹脂、ポリアミド系樹脂、ポリエステル系樹脂、若しくはこれらの混合物、又は水性ニス、油性ニス、紫外線硬化型ニス等を用いることができる。
【００４７】
〈接着層〉
接着層は、第１の紙片と第２の紙片との間の一部に存在することができる層である。これによれば、第１の紙片と第２の紙片とを冊子状に綴じることができる。また、接着層は、第２の紙片と１つ又は複数の他の紙片との間に存在し、それによって第２の紙片と１つ又は複数の他の紙片とを冊子状に綴じることもできる。
【００４８】
接着層としては、例えばホットメルト接着剤等を用いることができる。
【００４９】
〈第３の紙片〉
第３の紙片は、第１の紙片又は第２の紙片と接着層を介して接着されている、１つ又は複数の随意の紙片である。第３の紙片は、剥離きっかけ部を有していることが、第１の紙片又は第２の紙片から容易に剥離しやすくする観点から好ましい。
【符号の説明】
【００５０】
１００    第１の紙片
１０２    周縁粘着層
１０４    接着層
１０６    切り離し予定線
１０８    剥離きっかけ部
１１０    隠蔽部
１１２    隠蔽粘着層
１２０    葉書部
１２２    被隠蔽領域
１２２ａ    隠蔽対象情報
２００    第２の紙片
２０２、２１２    剥離剤層
３００    葉書付き印刷物
【図１】
2018047663.tif 000003
【図２】
2018047663.tif 000004
【図３】
2018047663.tif 000005
【図４】
2018047663.tif 000006